(57)【要約】      （修正有）【課題】動物の足に装着した際の蒸れを抑制可能であり、かつ、足への脱着作業性に優れる動物用履物を提供する。【解決手段】シューズＳは、弾性体により形成されて、動物の足Ｆを支持するソール部１０と、ソール部１０の周縁部に連続して形成され、足Ｆを包み込むアッパ部２０と、を有する。そして、ソール部１０に、ソール部１０の側面に開口された外側開口部と、ソール部１０の上面１２に開口された内側開口部とを有する通気孔１３が設けられている。【選択図】図２
2019165678.tif 000002
【特許請求の範囲】
【請求項１】
弾性体により形成されて、動物の足の裏を支持するソール部と、前記ソール部の周縁部に連続して形成され、前記足を包み込むアッパ部と、を有した動物用履物であって、
前記ソール部に、前記ソール部の側面に開口された外側開口部と、前記ソール部の上面に開口された内側開口部とを有する通気孔が設けられている動物用履物。
【請求項２】
請求項１に記載された動物用履物において、
前記通気孔は、前記ソール部を横方向に貫通し、両端に前記外側開口部を有する横孔部と、前記横孔部から上方に延在されて前記上面に前記内側開口部を有する縦孔と、を備える動物用履物。
【請求項３】
請求項１または請求項２に記載された動物用履物において、
前記ソール部は、前記通気孔とは別に、前記ソール部を横方向に延在されて、前記ソール部の側面に開口を有し、シューズ内部空間とは遮断されたクッション用孔を備える動物用履物。
【請求項４】
請求項１〜請求項３のいずれか１項に記載の動物用履物において、
前記ソール部は、つま先側の前側底部の厚さよりも、前記つま先とは反対側の後側底部の厚さが厚く形成されて、前記上面を横断して段差部が形成されている動物用履物。
【請求項５】
請求項３に従属する請求項４に記載の動物用履物において、
前記通気孔および前記クッション用孔は、前記後側底部に形成されている動物用履物。
【請求項６】
請求項１〜請求項５のいずれか１項に記載の動物用履物において、
前記アッパ部は、前記ソール部のつま先側を覆うキャップ部と、このキャップ部に連続して前記ソール部の後部から筒状に延在され、先端に着脱用開口部を有する胴部と、を備え、
前記胴部は、前記着脱用開口部が、シューズ内部空間の先端部に臨むように傾斜されている動物用履物。
【請求項７】
請求項１〜請求項６のいずれか１項に記載の動物用履物において、
前記弾性体としてエラストマーが用いられている動物用履物。
【請求項８】
請求項７に記載の動物用履物において、
前記エラストマーには、常温で液体の炭化水素油が含有されている動物用履物。
【発明の詳細な説明】
【技術分野】
【０００１】
本開示は、動物用履物に関する。
【背景技術】
【０００２】
従来、犬の足を保護する犬用ソックス、シューズなどの動物の足を保護する履物が提案されている（例えば、特許文献１）。
この従来技術では、厚さが１〜８ｍｍ程度の熱可塑性エラストマー製の犬用ソックスが開示されている。
【先行技術文献】
【特許文献】
【０００３】
【特許文献１】特開２０１６−６３７７７号公報
【発明の概要】
【発明が解決しようとする課題】
【０００４】
上述の従来技術では、動物の足への着脱の際に、足を出し入れする着脱用開口部以外は、全体に亘って閉じられた構造となっている。
しかしながら、犬や猫は、足裏の肉球に体温調整のための汗腺を有するため、履物を足に装着した際に、汗をかくと、履物内部で湿度および温度が上昇し、いわゆる蒸れが生じるおそれがある。
加えて、履物の脱着の際に、着脱用開口部が足により塞がった状態になると、履物内部の空気の出入をスムーズに行うことができなくなる。すなわち、熱可塑性エラストマーなどの気密性を有した弾性体は、伸縮性に優れるため、履物は足のサイズよりも相対的に小さいものを用い、履物を伸長させて装着することで、足と履物との密着性を高め、装着性を高めるのが一般的である。
【０００５】
このため、履物を履かせる際に、足を履物の途中まで挿入し着脱用開口部が塞がると、足の進入分の体積の空気の排出ができなくなり、内部が高圧になり足の進入を妨げ装着作業に手間取る場合がある。
逆に、履物を脱がせる際には、足により着脱用開口部が塞がった状態では、履物から足を引き出した体積分の空気を履物内にスムーズに導入するのが難しく、内部が負圧になって足と履物とが密着した状態が維持され、履物を脱がす作業に手間取る場合がある。
【０００６】
本開示は、上記問題に着目してなされたもので、動物の足に装着した際の蒸れを抑制可能であり、かつ、足への脱着作業性に優れる動物用履物を提供することを目的とする。
【課題を解決するための手段】
【０００７】
本開示の動物用履物は、弾性体により形成されて、動物の足裏を支持するソール部と、前記ソール部の周縁部に連続して形成され、前記足を包み込むアッパ部と、を有した動物用履物である。そして、前記ソール部に、前記ソール部の側面に開口された外側開口部と、前記ソール部の上面に開口された内側開口部とを有する通気孔が設けられている。
【発明の効果】
【０００８】
本開示の動物用履物は、動物の足に装着しての走歩行時に、足の変形に伴って弾性変形しシューズ内部空間が伸縮し、これに伴って、履物内部の空気と外気とが通気孔を介して出入りする。したがって、動物が足裏の肉球に汗をかいても、湿度や温度の高い空気が履物内に留まることがなく、蒸れを抑制できる。
また、通気孔の外側開口部を、ソール部の側面に設けているため、ソール部の下面に設けたものと比較して、水の浸入を抑制でき、かつ、走歩行時に、外側開口部が塞がることがなく、通気性を確保できる。
さらに、本開示の動物用履物を足に履かせる際には、履物内部へ足を進入させて着脱用開口部が塞がっても、足の進入分の体積の空気を通気孔から外部に排出することができる。したがって、履物内部が高圧になることが無く、動物用履物をスムーズに装着できる。
一方、足に装着した動物用履物を脱がせる際には、着脱用開口部が塞がっていても、着脱用開口部から足を抜き出し分の体積の空気は、通気孔から履物内部に進入し、履物内部が負圧になることは無い。したがって、動物用履物を動物の足からスムーズに脱がせることができる。
【図面の簡単な説明】
【０００９】
【図１Ａ】実施の形態１の動物用履物としてのシューズＳを示す斜視図であり、シューズＳを斜め前方から見た状態を示す。
【図１Ｂ】シューズＳを示す斜視図であり、シューズＳを斜め後方から見た状態を示す。
【図２】シューズＳの縦断面図であり、図５のＳ２−Ｓ２線の位置での断面を示す。
【図３】シューズＳの左側面図である。
【図４】シューズＳの正面図である。
【図５】シューズＳの背面図である。
【図６】シューズＳの底面図である。
【図７】シューズＳのソール部１０の断面図であり、図３のＳ７−Ｓ７線の位置での断面を示す。
【図８】シューズＳのソール部１０の上面１２を示す断面図であり、図３のＳ８−Ｓ８線の位置での断面を示す。
【図９】シューズＳの通気孔１３を示す断面図であり、図３のＳ９−Ｓ９線の位置での断面を示す。
【図１０】シューズＳのクッション用孔１４を示す断面図であり、図３のＳ１０−Ｓ１０線の位置での断面を示す。
【図１１】シューズＳのソール部１０の成分を模式的に示す拡大断面図である。
【図１２】動物Ｄの足ＦにシューズＳを装着すいた状態を示す斜視図である。
【図１３】実施の形態２のシューズＳＢの左側面図である。
【図１４】シューズＳＢのソール部２１０の断面図であり、図１３のＳ１４−Ｓ１４線の位置での断面を示す。
【図１５】シューズＳＢの通気孔２１３を示す縦断面図であり、図１３のＳ１５−Ｓ１５線の位置での断面を示す。
【発明を実施するための形態】
【００１０】
以下、本開示の動物用履物を実現する形態を、図面に示す実施の形態に基づいて説明する。
（実施の形態１）
図１Ａおよび図１Ｂは実施の形態１における動物用履物としてのシューズＳを示す斜視図であり、図１Ａは、斜め前方（挿入する足Ｆのつま先の方向を前方（矢印ＲＲ方向）とする）から見た図であり、図１Ｂは斜め後方から見た図である。また、図２は、シューズＳの縦断面図である。なお、図において矢印ＦＲの方向を前方、矢印ＲＲの方向を後方、矢印ＵＰの方向を上方、矢印ＬＳの方向を左方向、矢印ＲＳの方向を右方向とする。また、図１Ａ，図１Ｂを含み、各図に表された細線は、いずれも立体表面の形状を特定するためのものである。
【００１１】
図１Ａ，図１Ｂ、図２に示すように、シューズＳは、ソール部１０とアッパ部２０とを備え、弾性体により一体に形成されている。なお、弾性体の詳細については後述する。
【００１２】
ソール部１０は、動物Ｄ（例えば、犬）の足Ｆの足裏Ｆａ（図２参照）を覆う部分であり、図６に示すように、下面１１の形状が略小判状に形成されている。なお、図６は、シューズＳの底面図である。
【００１３】
図１Ａ，図１Ｂ、図２に示すように、アッパ部２０は、キャップ部２１と胴部２２とを備える。
キャップ部２１は、動物Ｄの足Ｆの足先ＦＴの上面および左右側面を覆うもので略半円アーチ状に形成されている。
【００１４】
胴部２２は、キャップ部２１およびソール部１０の後端部に連続して一体に形成され、かつ、足Ｆの周囲を覆う円筒状に形成され、上端部に、略円形の着脱用開口部２２ａが設けられている。なお、本実施の形態１にて示すシューズＳは、相対的に大型の動物Ｄ用のもので、前後方向の全長が１２０〜１５０ｍｍ程度、横幅が４０〜５０ｍｍ程度の寸法に形成されている。また、着脱用開口部２２ａは、半径（図３参照）が１０〜１５ｍｍ程度の寸法に形成されている。
【００１５】
そして、胴部２２は、その中心軸が、ソール部１０の先端部近傍を通るような角度で傾斜され、かつ、キャップ部２１の上面の傾斜角度と胴部２２の傾斜角度とが略等しい角度に形成されている。これにより、着脱用開口部２２ａは、ソール部１０の先端部であり、シューズ内部空間３０の最奥端部３１の略正面に臨んで配置されている。なお、胴部２２の上部には、断面半円形状で帯状のプルストラップ２２ｂが一体に設けられている。
【００１６】
また、ソール部１０は、図２に示すように、前後方向で前側底部１０ａの厚さよりも後側底部１０ｂの厚さの方が厚く形成されている。これにより、ソール部１０の上面１２には、前側底部１０ａと後側底部１０ｂとの間に、後ろ上がりに傾斜した段差部１０ｃが形成されている。
【００１７】
さらに、ソール部１０の下面１１は、図６に示すように、ソール部１０を横切る複数の爪部１１ａと、溝部１１ｂとが前後方向に交互に並設されている。
爪部１１ａは、それぞれ、前後方向の切断面での断面形状が下方に凸の山形状に形成され、前側底部１０ａに配置された爪部１１ａは、後側底部１０ｂに配置された爪部１１ａよりも、左右方向の幅が狭く形成され、かつ、前後方向の間隔が広く確保されている。
【００１８】
ソール部１０の後側底部１０ｂには、通気孔１３と、クッション用孔１４とが前後に並設されている。
通気孔１３は、図７、図９に示すように、横孔部１３ａと縦孔部１３ｂとを備える。
横孔部１３ａは、左右方向にソール部１０を横切って貫通され、ソール部１０の左右両側面に外側開口部１３ｃ，１３ｃを備える。また、横孔部１３ａは、ソール部１０の左右の幅方向の中央から外側開口部１３ｃに向かうに連れて、前後方向寸法および上下方向寸法が徐々に大きくなる形状に形成されている。
【００１９】
縦孔部１３ｂは、横孔部１３ａの左右方向中央から上方に延在されて、ソール部１０の上面１２に開口された内側開口部１３ｄを有するもので、左右方向寸法よりも前後方向寸法が大きな略長方形断面形状に形成されている。なお、左右方向寸法、前後方向寸法は、４〜６ｍｍ程度の寸法に形成されている。
【００２０】
クッション用孔１４は、通気孔１３の後方位置に形成されており、左右方向の中央に設けられた遮断壁１４ａを挟んで、左右対称に、左側孔１４ｂと右側孔１４ｃとを備える。
【００２１】
次に、シューズＳを形成する弾性体について説明する。
シューズＳは、ゴム弾性を有するとともに、常温で液体の炭化水素油５０を含有した図１１に示すエラストマー６０によって形成されている。なお、図１１はシューズＳのソール部１０の成分を模式的に示す拡大断面図である。
【００２２】
エラストマー６０としては、本実施の形態１では、シリコーンエラストマーが用いられている。このシリコーンエラストマーは、ケイ素化合物を主成分とし、オルガノポリシロキサンを主鎖として含むエラストマーである。シリコーンエラストマーは、他の有機系ポリマーと比べて化学的安定性があり、分子間力が小さくてコイル形成能が大きいため、弾力性に富み圧縮性が高いという性質を有している。また、耐熱性、耐寒性、耐候性、耐水性、耐スチーム性、電気導電性、電気絶縁性、熱伝導性、難燃性、耐油性、耐溶剤性、耐薬品性、耐摩耗性、耐放射線性を有している。さらに、引張り強度、引裂き強度が他の有機ポリマーと比べて高く、また、もともとは透明性であるが任意の色に着色する着色性は高いという性質も有している。
【００２３】
炭化水素油５０は、炭素と水素との化合物および各種の当該化合物の混合物である炭化水素を主成分とし、温度１５度および１気圧において液状を呈するものであり、実施の形態１ではスクワランを用いている。スクワランは、不飽和炭化水素であるスクワレンに水素添加を施して飽和炭化水素とした炭化水素油である。ここでは、イソプレンより合成して得られる合成スクワランも含まれる。そして、スクワランは、皮脂からの水分蒸散を防止するエモリエント効果に優れ、保湿作用、収れん作用、柔軟作用を奏することができる。また、新陳代謝を活発にし、肌のターンオーバを整える作用もある。さらに、もともとスクワレンが人や動物の体内に存在するため、皮脂に塗布した際にスクワランも異物とは認識されず、体内に浸透されやすいという特徴がある。そのため、天然の皮脂膜と同様に皮脂のバリアとしても働きかけることが可能であり、スクワランを皮膚に塗布することで、雑菌などから肌を保護することができる。
【００２４】
そして、このスクワランである炭化水素油５０は、エラストマー６０を構成する多数の分子の間に浸透することで、エラストマー６０に含有される。なお、炭化水素油５０のエラストマー６０への含有量は、例えば２％程度とする。
【００２５】
（実施の形態１の作用）
次に、実施の形態１のシューズＳの作用を説明する。
まず、着脱のスムーズ性の必要性、通気性の必要性、足裏の保湿および保護の必要性について説明する。そして、実施の形態１のシューズＳの作用を「着脱のスムーズ性」「シューズの通気性」「足裏保湿作用」、「足裏保護作用」に分けて説明する。
【００２６】
「シューズの着脱のスムーズ性の必要性」
多くの動物Ｄは足Ｆを触られることを嫌がるものであり、特に、初めてシューズＳを履かせる場合には、これを嫌がることが多い。
したがって、動物ＤにシューズＳを履かせる場合、短時間でスムーズに履かせることが可能なものが好ましい。
【００２７】
「シューズの通気性の必要性」
犬や猫などは、肉球にエクリン腺と呼ばれる体温調節を行う汗腺を有する。したがって、犬や猫などの動物は、体温が上昇すると肉球から汗をかく場合がある。
よって、シューズＳの装着時に、肉球から汗をかいた場合、シューズＳの外部に円滑に湿気および熱を排出可能なものが好ましい。
【００２８】
「足裏の保湿および保護の必要性」
犬や猫などの動物Ｄの足先ＦＴは、一般的に爪を有する指部と、肉球と呼ばれる皮膚が露出した部分からなり、足先ＦＴの接地面（足裏）のほとんどは肉球である。この肉球は、運動時のクッション的な役割を担い、運動時の衝撃を吸収して足Ｆの骨や関節などを守ったり、汗によって肉球を湿らせてすべり止めの役割を果たしたりする。
【００２９】
一方、肉球は、毎日の散歩でアスファルトを歩くことや、フローリングの化学薬剤などが原因となって乾燥し、硬化・角質化していく。そして、硬くなった肉球は、滑りやすく、関節トラブルやヘルニア、転倒による骨折の原因になることもある。
【００３０】
また、シニア期になると、肉球に角質の厚い層ができ、肉球が白っぽくなってガサガサになることがある。この状態を放置するとあかぎれのような切り傷ができ、そこから出血したり、雑菌が入り込んだりして思わぬ病気に感染することもある。さらに、肉球の乾燥によって歩行時に滑ることが多いと、骨格の形成にも悪影響を与える可能性がある。
【００３１】
このように、動物Ｄの足裏Ｆａの乾燥は肉球を傷つけ、思わぬトラブルを引き起こすため、足裏Ｆａを保湿することが好ましい。
よって、足裏Ｆａの乾燥を防ぎ、かつ、保護することが重要となる。
【００３２】
以下に、実施の形態１のシューズによる「着脱のスムーズ性」「シューズの通気性」「足裏保湿作用」、「足裏保護作用」を説明する。
「着脱のスムーズ性」
シューズＳは、キャップ部２１の上面に対して胴部２２が、略一直線上に傾斜し、着脱用開口部２２ａが、シューズ内部空間３０の最奥端部３１と、ほぼ一直線上に配置されて着脱用開口部２２ａが最奥端部３１の正面に臨んで配置されている。
【００３３】
このため、動物Ｄの足ＦにシューズＳを履かせる場合に、足先ＦＴを着脱用開口部２２ａから最奥端部３１まで直線状に挿入させることができる。よって、例えば、キャップ部２１と胴部２２とが、特許文献１に記載のように略直角を成すものと比較して、直線的にスムーズに短時間で装着することが可能である。
【００３４】
しかも、胴部２２の上部にプルストラップを２２ｂ設けているため、胴部２２を足Ｆに沿って引き上げやすく、これによっても、短時間でスムーズにシューズＳを履かせることが可能となる。
【００３５】
ところで、動物Ｄの足ＦにシューズＳを履かせる場合、足Ｆを、ある程度、胴部２２に差し込むと、着脱用開口部２２ａが足で塞がる。
実施の形態１のシューズＳは、伸縮性に富むため、足Ｆに対して小さめのサイズのシューズＳを選び、足Ｆに対する密着性（フィット性）を高めた状態で履かせるのが好ましい。つまり、密着性（フィット性）を高く履かせることにより、歩行時に、足Ｆに対してシューズＳが相対移動しにくく、歩行性に優れる。
【００３６】
このように、密着性（フィット性）を高くした場合、特に、上記のように、シューズＳを履かせる場合に、履かせる途中で着脱用開口部２２ａが足Ｆにより塞がれやすい。
本実施の形態１のシューズＳは、シューズ内部空間３０は、通気孔１３を介してシューズ外部と連通しているため、着脱用開口部２２ａが塞がれた場合でも、足Ｆをシューズ内部空間３０に挿入した体積分の空気は、通気孔１３からスムーズにシューズ外部に抜ける。
【００３７】
よって、着脱用開口部２２ａが塞がれても、足Ｆをシューズ内部空間３０に進入させるのに伴ってシューズ内部空間３０が高圧となることが無く、短時間にスムーズにシューズＳを足Ｆに履かせることができる。
【００３８】
また、シューズＳを脱がせる場合も、着脱用開口部２２ａが塞がれてもいて、胴部２２から引き抜いた足Ｆの体積分の空気を、通気孔１３からシューズ内部空間３０に円滑に導入することができる。よって、シューズ内部空間３０が負圧になってシューズＳが足Ｆに密着することが無く、スムーズに脱がせることができる。
【００３９】
「走行時・歩行時」
次に、シューズＳを履いての走行時・歩行時について説明する。
シューズＳのソール部１０は、前側底部１０ａと後側底部１０ｂとの間に段差部１０ｃを有する。このため、シューズＳを履いての動物Ｄの走行時・歩行時には、動物Ｄの足先ＦＴが前後に移動しにくく、走行性、歩行性に優れる。詳細には、動物Ｄの肉球のうち掌球部分の後端が、段差部１０ｃの前に配置されるサイズのシューズＳを履かせることで、掌球部分が段差部１０ｃに引っ掛かり、足先ＦＴがソール部１０に対して前後移動するのを抑制できる。
【００４０】
次に、走行時・歩行時の通気性について説明する。
シューズＳを履いての動物Ｄの走行時・歩行時には、アッパ部２０がソール部１０に対して、前後方向に弾性変形し、この弾性変形に伴って、シューズ内部空間３０の容積変化が生じる。そして、この容積変化分の空気が、通気孔１３を介して、シューズ内部空間３０とシューズ外部とで出入りし、シューズ内部空間３０の換気が行われる。
【００４１】
したがって、動物Ｄが足裏Ｆａの肉球部分で汗をかいても、シューズ内部空間３０の湿度、温度が上昇するのを抑制できる。
【００４２】
加えて、通気孔１３の内側開口部１３ｄを、ソール部１０の上面１２に開口し、装着時に肉球に近い位置に配置されるため、例えば、シューズＳのアッパ部２０に開口を設けた場合と比較して、肉球の汗による湿気を効率良く排出することができる。
【００４３】
さらに、通気孔１３は、内側開口部１３ｄをソール部１０の上面１２に設けているのに対し、外側開口部１３ｃをソール部１０の側面に設けている。このため、通気孔１３を介して換気する際に、外側開口部１３ｃが、地面に接して塞がれることが無く、円滑な換気が可能である。
【００４４】
なお、外側開口部１３ｃを有することで、雨天時などには、通気孔１３を介して水がシューズ内部空間３０に浸入するおそれがある。
しかしながら、本実施の形態１では、通気孔１３の外側開口部１３ｃを、ソール部１０の側面に設けているため、内側開口部１３ｄから真下のソール部１０の下面１１に開口したものと比較すると、シューズ内部空間３０への水の浸入を抑制することができる。
【００４５】
また、ソール部１０の上面１２に内側開口部１３ｄを設けているため、仮に、シューズ内部空間３０に水が浸入した場合、通気孔１３による換気に伴って、水を排出しやすく、シューズ内部空間３０に水が溜まるのを抑制できる。この場合も、外側開口部１３ｃをソール部１０の側面に設けているため、水の排出時に外側開口部１３ｃが塞がれること無く、円滑に水の排出を行うことができる。
【００４６】
「足裏保湿作用」
実施の形態１のシューズＳに動物Ｄの足Ｆを差し込み、このシューズＳを動物Ｄの足Ｆに装着すると、図２に示すように、足裏Ｆａの肉球がソール部１０の上面１２に接触する。そして、動物Ｄは、走行時・歩行時に、足裏Ｆａ（肉球）によってソール部１０の上面１２を踏みしめることになる。
【００４７】
実施の形態１のシューズＳでは、ソール部１０が、ゴム弾性を有すると共に、スクワランである炭化水素油５０を含有したエラストマー（シリコーンエラストマー）６０によって形成されている。さらに、炭化水素油５０は、常温で液体であり、エラストマー６０を構成する多数のエラストマー分子の間に浸透している。
【００４８】
そのため、この炭化水素油５０は、時間の経過と共にエラストマー分子の間を通って、例えばソール部１０の上面１２に次第に浸み出し、上面１２に、炭化水素油５０の被膜が常時形成される。一方、ソール部１０の上面１２に浸み出した炭化水素油５０は、動物Ｄの足裏Ｆａに付着し、足裏Ｆａの表面に被膜を形成する。
【００４９】
ここで、スクワランである炭化水素油５０は、皮脂からの水分蒸散を防止するエモリエント効果や保湿作用を奏することができ、体内に浸透して皮脂のバリアとしても作用することができる。そのため、足裏Ｆａに炭化水素油５０が付着したことで、この足裏Ｆａの肉球から水分が失われることを防止でき、保湿することができる。
【００５０】
また、この炭化水素油５０は、徐々にソール部１０の上面１２に浸み出していくため、このソール部１０の上面１２に常時被膜を形成することができる。そのため、シューズＳを履くたびに動物Ｄの足裏Ｆａに炭化水素油５０を付着させることができ、手間がかかることがない。さらに、足裏Ｆａの状態を目視で確認することができなくても、炭化水素油５０がエラストマー６０から浸み出すため、常時保湿することが可能になり、足裏状態の確認を不要とすることができる。
【００５１】
よって、シューズＳを動物Ｄに履かせておくことで、動物Ｄの足裏Ｆａの保湿を容易に行うことができる。
【００５２】
［足裏保護作用］
実施の形態１のシューズＳでは、ソール部１０が、炭化水素油５０を含有したエラストマー６０によって形成されている。ここで、エラストマー６０は、弾力性に富み圧縮性が高いという性質を有している。そのため、容易に変形が可能であり、足裏Ｆａへの衝撃を吸収することができて足裏Ｆａを保護することができる。
【００５３】
加えて、通気孔１３、クッション用孔１４を有していることで、これらの孔を有しないものと比較して、ソール部１０の上下方向の弾性変形量が多くなり、衝撃吸収性能が、さらに高まる。しかも、上記の通気性能を得るための通気孔１３に加え、クッション用孔１４を並列に形成しているため、ソール部１０の柔軟性がさらに高いものとなり、衝撃吸収性能を向上できる。
【００５４】
そして、走行時・歩行時に、このソール部１０、および、アッパ部２０が弾性変形した際に、元の形状に戻ろうとする復元力が作用し、この復元力が走行および歩行の補助にもなる。よって、老犬など、歩行能力が落ちた動物Ｄが歩行する際には、シューズＳの弾性変形時の復元力で走行・歩行をアシストし、走行・歩行時の負担を軽減することが可能である。
【００５５】
また、エラストマー６０がシリコーンエラストマーであることから、耐熱性、耐寒性、耐水性、耐スチーム性などを有しており、熱や寒さ、水や汚れなどから動物Ｄの足裏Ｆａを保護することができる。よって、シューズＳを動物Ｄに履かせておくことで、動物Ｄの足裏Ｆａを保護することができる。
【００５６】
エラストマー６０に含有された炭化水素油５０は、エラストマー６０から浸み出した後、ソール部１０の下面１１に浸み出していくことができる。これにより、下面１１にも炭化水素油５０の被膜が形成されることになり、この炭化水素油５０の被膜が滑り止めとなって、ソール部１０の下面１１の滑りを防止することができる。
【００５７】
（実施の形態１の効果）
以下に、実施の形態１の動物用履物としてのシューズＳが奏する効果を列挙する。
(1) 実施の形態１のシューズＳは、
弾性体により形成されて、動物Ｄの足裏Ｆａを支持するソール部１０と、ソール部１０の周縁部に連続して形成され、足Ｆを包み込むアッパ部２０と、を有したシューズＳであって、
ソール部１０に、ソール部１０の側面に開口された外側開口部１３ｃと、ソール部１０の上面１２に開口された内側開口部１３ｄとを有する通気孔１３が設けられているシューズである。
したがって、走行時・歩行時のシューズＳの弾性変形に伴う、シューズ内部空間３０の容積変化に伴い、シューズ内部空間３０の空気が、通気孔１３を介して出入し換気を行う。これにより、シューズＳを装着した動物Ｄが、足裏Ｆａの肉球部分に汗をかいても、シューズ内部空間３０の湿度、温度が高くなりにくい。
よって、良好なシューズ内部空間３０の環境を得ることができる。
加えて、内側開口部１３ｄをソール部１０の上面１２に設けているため、肉球部分で汗をかいた場合の湿気の排出性能に優れる。
さらに、内側開口部１３ｄをソール部１０の上面１２に設けているにも関わらず、外側開口部１３ｃはソール部１０の側面に設けている。このため、この外側開口部１３ｃをソール部１０の下面１１に設けた場合のように、走行時・歩行時に、外側開口部１３ｃが塞がることが無く、通気性を良好に保つことができる。
【００５８】
(2)実施の形態１のシューズＳは、
通気孔１３は、ソール部１０を横方向に貫通し、両端に外側開口部１３ｃを有する横孔部１３ａと、横孔部１３ａから上方に延在されて上面１２に内側開口部１３ｄを有する縦孔部１３ｂと、を備える。
したがって、内側開口部１３ｄを上面１２に設け、外側開口部１３ｃをソール部１０の側面に設けた複雑な形状であるにもかかわらず、通気孔１３を直線的な２方向からの孔で形成することができ、型成形を容易に行うことができる。
【００５９】
(3)実施の形態１のシューズＳは、
ソール部１０は、通気孔１３とは別に、ソール部１０を横方向に延在されて、ソール部１０の側面に開口を有し、ソール部１０の内部とは遮断されたクッション用孔１４を備える。
したがって、クッション用孔１４を備えないものと比較して、ソール部１０の柔軟性を高くでき、動物Ｄの保護性能を高めることができる。
【００６０】
(4)実施の形態１のシューズＳは、
ソール部１０は、つま先側の前側底部１０ａの厚さよりも、つま先とは反対側のウシと後側底部１０ｂの厚さが厚く形成されて、ソール部１０の上面１２を横断して段差部１０ｃが形成されている。
したがって、走行時・歩行時に、動物Ｄの足Ｆの裏面が、段差部１０ｃに対して前後方向に係合することで、ソール部１０の上面１２に対して、前後方向に移動しにくい。よって、走行時・歩行時に、足Ｆがソール部１０の上面１２に対して足が前後に移動するものと比較して、走行時・歩行時の安定性に優れる。
【００６１】
(5)実施の形態１のシューズＳは、
通気孔１３およびクッション用孔１４は、後側底部１０ｂに形成されている。
通気孔１３およびクッション用孔１４を、相対的に厚さの厚い後側底部１０ｂに設けたため、通気孔１３およびクッション用孔１４の断面積を確保し、通気性およびクッション性を確保しやすい。
【００６２】
(6)実施の形態１のシューズＳは、
アッパ部２０は、ソール部１０のつま先側を覆うキャップ部２１と、このキャップ部２１に連続してソール部１０の後部から筒状に延在され、先端に着脱用開口部２２ａを有する胴部２２と、を備え、
胴部２２は、着脱用開口部２２ａが、シューズ内部空間３０の最奥端部３１に臨むように傾斜されている。
胴部２２の着脱用開口部２２ａからシューズ内部空間３０の最奥端部３１とが、直線状に配置されるため、動物Ｄの足Ｆを、着脱用開口部２２ａから最奥端部３１まで直線的に移動させることができ、シューズＳの着脱操作性に優れる。
【００６３】
(7)実施の形態１のシューズＳは、
胴部２２に、プルストラップ２２ｂを備える。
したがって、シューズＳを動物Ｄの足Ｆに着脱する際に、胴部２２の引き上げ操作、引き下げ操作が容易であり、着脱操作性に優れる。
【００６４】
(8)実施の形態１のシューズＳは、
弾性体としてエラストマー６０が用いられている。
したがって、シューズＳの柔軟性を確保でき、動物Ｄの足Ｆへの密着性を確保しやすい。そして、このように、密着性が高い場合、通気性の確保が課題となるが、上記(1)に記載したように良好な通気性を得ることができる。
【００６５】
(9)実施の形態１のシューズＳは、
エラストマー６０には、常温で液体の炭化水素油５０が含有されている。
これにより、動物Ｄの体表面（足裏Ｆａ）を保護しつつ、容易に保湿することができる。
また、エラストマー６０から浸み出した炭化水素油５０によって、ソール部１０の下面１１の滑りを防止することができる
【００６６】
(10) 実施の形態１のシューズＳは、
エラストマー６０は、天然ゴム、スチレンエラストマー、オレフィンエラストマー、ポリウレタンエラストマー、ポリエステルエラストマー、アクリルエラストマーおよびシリコーンエラストマーからなる群から選択される少なくとも一種である構成とした。
これにより、エラストマー６０がゴム弾性を有し、動物Ｄへの衝撃を吸収して、適切に保護することができる。
【００６７】
(11) 実施の形態１のシューズＳは、 
炭化水素油５０は、流動パラフィン、スクワランおよびスクワレンからなる群から選択される少なくとも一種である構成とした。
これにより、炭化水素油５０が常温で液体状を保ち、保湿機能を有することで、エラストマー６０から徐々に浸み出して動物Ｄの体表面の保湿を適切に行うことができる。
【００６８】
（他の実施の形態）
次に、本開示の他の実施の形態について説明する。
なお、他の実施の形態を説明するのにあたり、共通する構成物には共通する符号を付して説明を省略する。
【００６９】
（実施の形態２）
図１３〜図１５に示す実施の形態２のシューズＳＢについて説明する。
このシューズＳＢは、実施の形態１のシューズＳとは大きさが異なり、相対的に小さな動物用のものである。
【００７０】
このシューズＳＢは、実施の形態１と同様に、ソール部２１０およびアッパ部２２０を備える。また、ソール部２１０には、通気孔２１３およびクッション用孔２１４を備える。
【００７１】
また、アッパ部２２０は、キャップ部２２１および胴部２２２を備える。なお、胴部２２２は、着脱用開口部（不図示）およびプルストラップ２２２ｂを備える。
【００７２】
このシューズＳＢの実施の形態１のシューズＳとの相違点は、前後方向の全長、左右方向の横幅が、シューズＳの全長、横幅と比較して、２／３程度の寸法に形成されている。また、例えば、全長は、９０ｍｍ程度、横幅は２５ｍｍ程度の寸法とする。
【００７３】
また、ソール部２１０に形成された通気孔２１３の形状が、実施の形態１の通気孔１３と異なり、横孔２１３ａが、一定の断面積形状に形成されている。なお、この通気孔２１３の形状のものを実施の形態１のシューズＳに適用してもよいし、実施の形態１で示した通気孔１３を実施の形態２のシューズＳＢに適用してもよい。
【００７４】
以上、説明した実施の形態２のシューズＳＢにあっても、上記(1)〜 (11)に記載の効果を奏する。
【００７５】
以上、本開示の実施の形態を図面に基づき説明してきたが、具体的な構成については、この実施の形態に限られるものではなく、特許請求の範囲の各請求項に係る要旨を逸脱しない限り、設計の変更や追加等は許容される。
【００７６】
なお、この実施の形態１では、動物用履物（シューズＳ）を形成する弾性体としてエラストマーを示したが、これに限定されず、弾性変形可能な他の素材を用いてもよい。また、実施の形態では、エラストマー６０がシリコーンエラストマーである例を示した。しかしながら、エラストマー６０としてはこれに限定されず、ゴム弾性を有するものであればよい。例えば、天然ゴム、スチレンエラストマー、オレフィンエラストマー、ポリウレタンエラストマー、ポリエステルエラストマー、アクリルエラストマーであってもよい。これらは、いずれもゴム弾性を有すると共に、それぞれ耐熱性、耐寒性、耐水性、機械的強度、耐摩擦性、対候性、耐油性などのいずれかの性質を有している。
【００７７】
また、天然ゴムは、天然のゴムノキの樹液に含まれる（乳液）から精製され、その成分は、化学的には高シスポリイソプレンである。また、スチレンエラストマーは、ポリスチレンからなるハードセグメントと、ポリエチレン・ポリブチレンからなるソフトセグメントをブロック状に共重合させた基本単位構造を持つ。また、オレフィンエラストマーは、一般的にポリプロピレンの中にエチレン−プロピレンゴムを微分散させた熱可塑性エラストマーである。ウレタンエラストマーは、低分子ジオールおよびジイソシアネートから生成するハードセグメントと、高分子ジオールおよびジイソシアネートから生成するソフトセグメントとを有する。ポリエステルエラストマーは、ジカルボン酸又はその誘導体とジオール化合物又はその誘導体とを重縮合して得られる。アクリルエラストマーは、アクリル酸エステルとエポキシ基を有する単重体並びにビニル系単重体とを共重合して得られる。
【００７８】
また、実施の形態では、弾性体が、常温で液体の炭化水素油５０を含有するものを示し、炭化水素油５０としてスクワランを用いた例を示した。しかしながら、炭化水素油５０としては、常温で液体状を保ち、保湿機能を有するとともに、エラストマー６０に含有可能であれば、スクワランに限定されない。例えば、この炭化水素油５０は、流動パラフィン、或いはスクワレンであってもよい。
【００７９】
ここで、流動パラフィンは、石油の比較的粘度の低い潤滑油留分を、高度に精製した無味、無臭、無色透明の油状液体である。また、スクワレンは、深海産の魚類、特にサメ類の肝油中に存在し、あるいはオリーブ油、コメヌカ油、小麦胚芽油、ゴマ油、綿実油などの植物油中にも存在し、さらに、人の皮脂の中にも存在する。これらより抽出することでスクワレンを得ることができる。そして、これらは、いずれも常温で液体であり、皮膚に塗布した際、高い保湿作用を奏することができる。
【００８０】
また、実施の形態では、クッション用孔１４は、途中に遮断壁１４ａを有する例を示したがこれに限定されず、全長で貫通されていてもよい。
さらに、アッパ部２０は、胴部２２の着脱用開口部２２ａが、シューズ内部空間３０の最奥端部（先端部）３１に臨むように傾斜した例を示したが、その形状はこれに限定されず、特許文献１に記載のもののように、ソール部に対して胴部が直立、あるいはそれに近い角度としてもよい。
【符号の説明】
【００８１】
１０   ソール部
１０ａ 前側底部
１０ｂ 後側底部
１０ｃ 段差部
１２   上面
１３   通気孔
１３ａ 横孔部
１３ｂ 縦孔部
１３ｃ 外側開口部
１３ｄ 内側開口部
１４   クッション用孔
２０   アッパ部
２１   キャップ部
２２   胴部
２２ａ 着脱用開口部
３０   シューズ内部空間
３１   最奥端部
５０   炭化水素油
６０   エラストマー
Ｄ     動物
Ｆ     足
Ｆａ   足裏
ＦＴ   足先
Ｓ     （実施の形態１の）シューズ
ＳＢ   （実施の形態２の）シューズ
【図１Ａ】
2019165678.tif 000003
【図１Ｂ】
2019165678.tif 000004
【図２】
2019165678.tif 000005
【図３】
2019165678.tif 000006
【図４】
2019165678.tif 000007
【図５】
2019165678.tif 000008
【図６】
2019165678.tif 000009
【図７】
2019165678.tif 000010
【図８】
2019165678.tif 000011
【図９】
2019165678.tif 000012
【図１０】
2019165678.tif 000013
【図１１】
2019165678.tif 000014
【図１２】
2019165678.tif 000015
【図１３】
2019165678.tif 000016
【図１４】
2019165678.tif 000017
【図１５】
2019165678.tif 000018